(57)【要約】【課題】比較的簡単な構成で済ませながら、脱水槽側での洗濯運転の実施を可能とする。【解決手段】実施形態の二槽式洗濯機は、洗濯槽と、脱水かごを有する脱水槽とを備え、洗い、すすぎ、脱水からなる洗濯運転を手動操作に基づいて実施するものにおいて、前記脱水槽の排水路を開閉するものであって手動操作により開閉可能な脱水槽側排水弁と、給水口からの前記洗濯槽への給水と前記脱水槽への給水とを手動操作により切替える給水切替機構と、前記脱水槽側での洗濯運転を実行させるための操作部とを備えると共に、前記給水切替機構による前記洗濯槽側から前記脱水槽側への給水切替えと連動して、前記脱水槽側排水弁が閉塞状態とされる。【選択図】図１
2016059599.tif 000002
【特許請求の範囲】
【請求項１】
洗濯槽と、脱水かごを有する脱水槽とを備え、
洗い、すすぎ、脱水からなる洗濯運転を手動操作に基づいて実施する二槽式洗濯機において、
前記脱水槽の排水路を開閉するものであって手動操作により開閉可能な脱水槽側排水弁と、
給水口からの前記洗濯槽への給水と前記脱水槽への給水とを手動操作により切替える給水切替機構と、
前記脱水槽側での洗濯運転を実行させるための操作部とを備えると共に、
前記給水切替機構による前記洗濯槽側から前記脱水槽側への給水切替えと連動して、前記脱水槽側排水弁が閉塞状態とされることを特徴とする二槽式洗濯機。
【請求項２】
前記操作部は、脱水槽洗濯運転用のタイマーを動作させる操作つまみからなり、
脱水槽洗濯運転用のタイマーがオン動作している脱水槽洗濯運転時においては、前記脱水かごを回転駆動する脱水用モータが、一方向に間欠駆動されることを特徴とする請求項１記載の二槽式洗濯機。
【請求項３】
前記脱水槽洗濯運転時においては、前記脱水用モータのオン・オフを繰返すと共に、オフ時間がオン時間よりも長くなるように構成されていることを特徴とする請求項２記載の二槽式洗濯機。
【請求項４】
前記脱水槽洗濯運転用のタイマーは、脱水運転用のタイマーと兼用され、
前記操作つまみの操作方向に応じて、脱水槽洗濯運転及び脱水運転が切替えられることを特徴とする請求項２又は３記載の二槽式洗濯機。
【請求項５】
前記給水口から前記脱水槽側への給水経路の途中に、洗剤又は仕上げ剤の投入ケースを備えることを特徴とする請求項１から４のいずれか一項に記載の二槽式洗濯機。
【請求項６】
前記脱水槽側では、前記脱水かごの中央部に対して給水が行われるように構成されていることを特徴とする請求項１から５のいずれか一項に記載の二槽式洗濯機。
【請求項７】
洗濯時に大物の洗濯物を収容するネットであって、前記脱水かご内に出し入れ可能に収容される大きさの洗濯用ネットを備えることを特徴とする請求項１から６のいずれか一項に記載の二槽式洗濯機。
【請求項８】
前記洗濯用ネットは、前記脱水かごの通水孔の一部を内側から塞ぐようにして、該脱水かご内に収容されることを特徴とする請求項７記載の二槽式洗濯機。
【発明の詳細な説明】
【技術分野】
【０００１】
本発明の実施形態は二槽式洗濯機に関する。
【背景技術】
【０００２】
二槽式洗濯機は、一般に、洗濯槽と、脱水かごを有する脱水槽とを備え、洗い、すすぎ、脱水からなる洗濯運転の各行程を手動操作に基づいて実施するように構成されている。この二槽式洗濯機は、高齢者の方を中心に依然として需要がある。この二槽式洗濯機においては、ユーザは、まず、洗濯物及び洗剤を洗濯槽に投入し、所望の水位までの給水を行い、洗いタイマーを操作して所望時間の洗い行程を実施させる。次いで、排水、給水を行い、洗いタイマーを操作してすすぎ行程を実施させる。その後、すすぎ工程までが終了した洗濯物を、脱水槽の脱水かご内に移し替え、脱水タイマーを操作して所望時間の脱水行程を実施させるようになっている。
【０００３】
ところで、この二槽式洗濯機で、毛布等の大物の洗濯物を洗う場合、ユーザは、水を含んで重くなって扱いにくい洗濯物を、洗濯槽から脱水槽に移し替えるという、労力のかかる作業が必要となる。これに対し、例えば特許文献１には、脱水槽側で、脱水は勿論、洗いやすすぎの洗濯運転を実施することを可能とした二槽式洗濯機が開示されている。この特許文献１の二槽式洗濯機によれば、ユーザが洗濯物の移し替えを行うことなく、脱水槽側だけで洗濯を行うことが可能となる。
【先行技術文献】
【特許文献】
【０００４】
【特許文献１】特開平１１−３０００７５号公報
【発明の概要】
【発明が解決しようとする課題】
【０００５】
しかしながら、上記特許文献１に記載された二槽式洗濯機では、洗濯槽及び脱水槽に水を供給する２本の給水管に夫々給水弁を設け、洗濯槽及び脱水槽の排水管に夫々排水弁を設け、マイコンからなる制御部が設けられる。そして、制御部が、水位センサの信号等に基づいて、２つの給水弁、２つの排水弁、洗濯用のモータ、脱水用のモータを夫々制御して、洗濯運転を進める構成となっている。この場合、特許文献１の二槽式洗濯機は、いわば半自動式のものであり、洗濯の各行程を手動で進める本来の二槽式洗濯機からかけ離れた、複雑な構成のものとなっている。
【０００６】
そこで、二槽式洗濯機において、比較的簡単な構成で済ませながら、脱水槽側での洗濯運転の実施を可能とする。
【課題を解決するための手段】
【０００７】
実施形態の二槽式洗濯機は、洗濯槽と、脱水かごを有する脱水槽とを備え、洗い、すすぎ、脱水からなる洗濯運転を手動操作に基づいて実施するものにおいて、前記脱水槽の排水路を開閉するものであって手動操作により開閉可能な脱水槽側排水弁と、給水口からの前記洗濯槽への給水と前記脱水槽への給水とを手動操作により切替える給水切替機構と、前記脱水槽側での洗濯運転を実行させるための操作部とを備えると共に、前記給水切替機構による前記洗濯槽側から前記脱水槽側への給水切替えと連動して、前記脱水槽側排水弁が閉塞状態とされるところに特徴を有する。
【図面の簡単な説明】
【０００８】
【図１】一実施形態を示すもので、二槽式洗濯機の全体構成を示す縦断正面図
【図２】操作パネルの平面図
【図３】脱水かごに大物の洗濯物を収容した様子を示す縦断面図
【図４】脱水キャップの平面図
【図５】脱水槽で洗濯運転を行う場合の行程の一例を示す図
【図６】洗濯用ネットの２種類の例（ａ）、（ｂ）を示す概略的縦断正面図
【発明を実施するための形態】
【０００９】
以下、一実施形態について、図１から図５を参照しながら説明する。図１は本実施形態に係る二槽式洗濯機１の全体構成を概略的に示しており、ここで、矩形容器状をなす基台２上には、例えば合成樹脂製の槽体３が設けられている。この槽体３には、洗濯槽４と脱水槽５とが左右に並置された状態で一体的に設けられている。前記槽体３の上部には、上部カバー３１が装着されている。
【００１０】
前記洗濯槽４には、内周側部の一箇所に溢水ストレーナ６が装着されており、また、内下部にパルセータ７が回転可能に配設されている。このとき、洗濯槽４の底部には、上下方向に貫通して延びる駆動軸２６が、洗濯槽４の外底部側に設けられた軸受機構部２５に回転自在に支持されており、前記パルセータ７は、その駆動軸２６の上端に取付けられている。前記基台２内には、駆動軸２６を正逆方向に回転駆動するための駆動機構部２７が設けられている。この駆動機構部２７は、前記基台２に取付けられた洗濯用モータ２８や、この洗濯用モータ２８の回転を前記駆動軸２６に伝達するベルト伝達機構２９等から構成されている。
【００１１】
前記洗濯用モータ２８は、例えば誘導モータから構成され、後述する洗濯タイマーのオン時に、図示しない駆動回路を介して通電される。これにて、パルセータ７は、洗濯用モータ２８によりベルト伝達機構２９を介して、正逆方向に低速回転駆動される。これにより、洗濯槽２内に収容された洗濯物（図示せず）を洗濯水と共に撹拌する水流を生成するようになっている。
【００１２】
前記脱水槽５の内部には、洗濯物を収容する脱水かご１０が、垂直軸を中心に回転可能に配設されている。この脱水かご１０は、上面が開口した円筒容器をなし、その周側部には多数の通水孔９が設けられている。この脱水かご１０の上端部には、リング状のバランサ８（図３参照）が設けられている。また、脱水かご１０の上面開口部には、脱水キャップ２０（図３、図４参照）が装着されるようになっている。この脱水キャップ２０については後述する。
【００１３】
前記基台２内には、脱水槽５の下方に位置して、前記脱水かご１０を回転駆動する脱水用モータ１１が設けられていると共に、その脱水用モータ１１の回転を制止するブレーキ装置１２が配設されている。前記脱水用モータ１１は、例えば誘導モータから構成され、当該脱水用モータ１１の回転軸１１ａは、脱水かご１０のシャフト１０ａに連結されている。これにより、脱水用モータ１１は、直接的に脱水かご１０を回転させるように構成されている。
【００１４】
この脱水用モータ１１は、後述する脱水タイマーのオン時、及び、脱水槽洗いタイマーのオン時に、図示しない駆動回路を介して通電される。この場合、脱水タイマーのオン時には、脱水用モータ１１が連続通電され、脱水かご１０が一方向に高速回転され、脱水かご１０内に収容された洗濯物が遠心脱水される。そして、後述するように、脱水槽洗いタイマーのオン時には、脱水用モータ１１が一方向に間欠駆動されるようになっている。尚、前記ブレーキ装置１２は、後述する脱水蓋の開放時に作動されるようになっている。
【００１５】
前記洗濯槽４の底部には、排水口１３が設けられており、この排水口１３には排水管路１４が接続されている。前記排水管路１４には、洗濯槽側排水弁１５が設けられている。詳しく図示はしないが、この洗濯槽側排水弁１５は、弁座、この弁座を開閉する弁体、この弁体を閉塞側に付勢するスプリング、弁体を引張って開放させるためのワイヤ等を備えた周知構成を備えている。具体的には図示はしないが、前記ワイヤは、図１に破線で示すような関係に備えられている。この洗濯槽側排水弁１５は、通常時には閉塞状態にあると共に、後述する操作つまみ３６の回動操作に伴う前記ワイヤの動作（引張り操作）により開放状態とされる。排水管路１４の出口側端部には、図示しない排水ホースが接続され、洗濯槽側排水弁１５の開放時に外部への排水が行われるようになっている。
【００１６】
前記脱水槽５の底部には、排水口１６が設けられており、この排水口１６には排水路としての脱水側排水管路１７が接続されている。前記脱水側排水管路１７には、脱水槽側排水弁１８が設けられている。この脱水槽側排水弁１８も、前記洗濯槽側排水弁１５と同等の構成を備え、通常時には閉塞状態にあると共に、後述するように、洗濯槽４側への給水の切替状態で、ワイヤの引張り操作により開放されるようになっている。脱水側排水管路１７（脱水槽側排水弁１８）の出口部は、前記排水管路１４の途中部（洗濯槽側排水弁１５よりも下流側）に接続されており、脱水槽側排水弁１８の開放時に前記排水ホースを通して外部への排水が行われる。
【００１７】
前記上部カバー３１には、前記洗濯槽４の上面開口部を開閉する洗濯蓋３２が着脱可能に設けられているとともに、前記脱水槽５の上面開口部を開閉する脱水蓋３３が設けられている。脱水蓋３３は、後部を支点に上下方向に回動可能とされている。上部カバー３１の後部には、操作パネル３４が設けられている。図２にも示すように、操作パネル３４には、左から順に、洗いタイマー用の操作つまみ３５、水流切替用および排水弁開閉用の操作つまみ３６、脱水・脱水槽洗いタイマー用の操作つまみ３７、給水口３８、給水先切替用の操作つまみ３９が、横方向に並んで設けられている。
【００１８】
そのうち給水口３８は、図示しない給水ホースの先端部が接続されるものであり、その給水ホースの基端部は、例えば水道の蛇口に接続される。図１に示すように、上部カバー３１には、給水口３８から連続する給水経路４０が設けられている。詳しく図示はしないが、この給水経路４０は、前記洗濯槽４側と脱水槽５側との二股に分岐しており、図示しない切替部材の動作によって、洗濯槽４側への給水と、脱水槽５側への給水とが切替えられるようになっている。また、本実施形態では、給水経路４０のうち、脱水槽５側に向かう途中部分には、洗剤又は仕上げ剤の投入ケース４１が設けられている。
【００１９】
前記給水の切替え（切替部材の動作）は、前記給水先切替用の操作つまみ３９がユーザによって手動操作されることによりなされる。即ち、図２に示すように、この給水先切替用の操作つまみ３９は、左右方向にスライド操作可能に設けられている。その操作つまみ３９が左側にスライド操作された場合には、洗濯槽４側への給水が行われ、操作つまみ３９が右側にスライド操作された場合には、脱水槽５側への給水が行われる。これにより、給水先切替用の操作つまみ３９や給水経路４０に設けられた切替部材等から、給水切替機構が構成されている。
【００２０】
更に本実施形態では、操作つまみ３９の移動に連動して、図示しないカム機構などを介して前記脱水槽側排水弁１８を動作させる図示しないワイヤが動作されるように構成されている。具体的には図示はしないが、前記ワイヤは、図１に破線で示すような関係に備えられている。これにて、操作つまみ３９が左側（洗濯槽４への給水側）にスライド操作されたときには、前記ワイヤが引張られて、脱水槽側排水弁１８が開放されるようになっている。また、操作つまみ３９が右側（脱水槽５への給水側）にスライド操作されたときには、給水の切替えと連動して、脱水槽側排水弁１８が閉塞状態とされる。これにて、給水経路４０を通して脱水槽５に給水された洗濯水を、脱水槽５内に溜めることができる。
【００２１】
このとき、図３に示すように、脱水槽５側への給水経路４０によって、脱水かご１０の上面に配置される脱水キャップ２０上の左寄り部分に給水が行われる。図３では、給水の水の流れを矢印Ａで示している。図４にも示すように、前記脱水キャップ２０には、中央部に位置して水を脱水かご１０の中央部に向けて落下させるための比較的大形の落下口２１が設けられていると共に、水をその落下口２１に導くような断面円弧状（Ｕ字状）のガイド溝部２２が十文字状に形成されている。これにて、脱水槽５側では、前記脱水かご１０の中央部に対して給水が行われるように構成されている。前記脱水キャップ２０の落下口２１及びガイド溝部２２を除く領域には、複数個の比較的小さな穴２０ａも形成されている。尚、図示はしないが、脱水槽５の内周壁には、脱水槽５での洗濯運転を行うに適切な給水水位を示す水位目盛が設けられている。
【００２２】
図２に示すように、前記洗いタイマー用の操作つまみ３５は、操作パネル３４の裏面側に設けられた図示しないゼンマイ式の洗いタイマーを設定操作するためのものであり、周知のように、操作つまみ３５の回動操作によって、洗濯槽４における洗い（すすぎも含む）の時間、或いはつけ置き洗いの時間を設定できるようになっている。
【００２３】
前記水流切替用および排水弁開閉用の操作つまみ３６は、「強」、「標準」、「排水」の３つの位置間で回動操作可能に設けられている。この操作つまみ３６を、「強」又は「標準」のいずれかに位置させることにより、洗濯槽４での洗い（すすぎ）時の水流を形成するパルセータ７の反転時限が切替えられ、強水流と、それより弱い標準水流とを選択することができる。そして、詳しく図示はしないが、操作つまみ３６が「排水」に位置されると、前記洗濯槽側排水弁１５のワイヤが引っ張り動作され、洗濯槽側排水弁１５が開放されて洗濯槽４からの排水が行われるようになっている。
【００２４】
さて、前記脱水・脱水槽洗いタイマー用の操作つまみ３７は、操作パネル３４の裏面側に設けられた図示しないゼンマイ式の脱水・脱水槽洗いタイマーを操作するものである。この操作つまみ３７は、図示の中立位置（タイマー時間が「０」の位置）から、右回り（時計回り）、左回り（反時計回り）の両方向に回動操作可能に設けられている。この場合、操作つまみ３７が右回り方向に回動操作されると、設定された時間の脱水運転が行われる。この脱水運転では、前記脱水用モータ１１が連続して高速で回転駆動（例えば最高速度２３００ｒｐｍまで）することにより、脱水かご１０が一方向に高速回転し、洗濯物の遠心脱水が行われる。
【００２５】
これに対し、前記操作つまみ３７が左回り方向に回動操作されると、脱水槽５において、設定された時間の脱水槽洗濯運転が行われる。この脱水槽洗濯運転では、前記脱水用モータ１１が一方向に間欠駆動される。具体的には、脱水用モータ１１のオン・オフが繰返され、その際のオン・オフの繰返し時限は、オン時間が例えば３秒、オフ時間がそれより長い９秒とされている。これにて、次の作用説明でも述べるように、脱水かご１０内に収容された洗濯物内を緩やかな水流が相対的に通過するようになり、脱水槽５側でも、洗い（すすぎ）を行うことができるようになる。
【００２６】
従って、本実施形態では、脱水・脱水槽洗いタイマー用の操作つまみ３７が、脱水槽５側での洗濯運転を実行させるための操作部として機能する。また、脱水槽洗濯運転用のタイマーと、脱水運転用のタイマーとが、１つの脱水・脱水槽洗いタイマーとして兼用され、操作つまみ３７の操作方向に応じて、脱水槽洗濯運転及び脱水運転が切替えられる構成となっている。
【００２７】
次に、上記構成の作用について、図５も参照しながら説明する。上記した二槽式洗濯機１においては、まず、従来から行われている通常の（一般的な）洗濯運転、つまり、洗濯槽４で洗いやすすぎの行程を行い、その後、洗濯物を洗濯槽４から脱水槽５（脱水かご１０）に移し替えて脱水の行程を行うといった洗濯運転を行うことができる。この一般的な洗濯運転では、ユーザは、操作パネル３４の給水先切替用の操作つまみ３９を、左側（洗濯槽４への給水側）に操作しておく。このときには、脱水槽側排水弁１８は開放状態となる。
【００２８】
ユーザは、洗濯槽４内に洗濯物を投入すると共に、水流切替用および排水弁開閉用の操作つまみ３６を操作して水流強さ（「強」又は「標準」）を選ぶ。このときには、洗濯槽側排水弁１５は閉塞状態となり、洗濯槽４内に水を溜めることができる。そしてユーザは、水道の蛇口を開放させることにより、給水経路４０を通して洗濯槽４内への給水を行う。所定水位まで給水が行われると、蛇口を閉じて給水を止める。次いで、ユーザは、洗濯槽４内に所要量の洗剤を投入した上で、洗いタイマー用の操作つまみ３５を操作して洗いタイマーを動作させる。これにより、パルセータ７が駆動され設定時間の洗い行程が行われる。
【００２９】
洗い行程が終了すると、ユーザは、水流切替用および排水弁開閉用の操作つまみ３６を「排水」に操作する。すると、洗濯槽側排水弁１５が開放されて洗濯槽４からの排水が行われる。排水が終了すると、水流切替用および排水弁開閉用の操作つまみ３６を、「強」又は「標準」操作した後、再び洗濯槽４内への給水を行い、洗いタイマー用の操作つまみ３５を操作して洗いタイマーを動作させる。これにより、設定時間のすすぎ行程が行われる。すすぎ行程は複数回繰返して行うこともできる。
【００３０】
ユーザは、すすぎ行程の終了後、洗濯槽４からの排水を行い、洗濯物を脱水かご１０に移し替える。そして、ユーザが、脱水・脱水槽洗いタイマー用の操作つまみ３７を右回り方向に回動操作することにより、脱水かご１０を一方向に高速回転させる脱水運転が行われる。脱水槽側排水弁１８は開放状態にあるので、洗濯物から出た水は脱水槽５内からそのまま排水される。
【００３１】
ここで、一般的な洗濯物（一般的な衣類など）の場合は、上記のような洗濯行程で良いが、洗濯物が毛布などの大物の場合には、水を含んでかなり重くなっており、扱いにくい洗濯物を、洗濯槽４から脱水かご１０に移し替えるという、労力のかかる作業が必要となる。そこで、本実施形態の二槽式洗濯機１では、例えば毛布などの大物の洗濯物Ｂ（図３参照）を洗う場合、脱水槽５側で、洗いから脱水までの行程を、次のようにして行うことができる。図５は、脱水槽５側で洗濯運転を行う場合の行程の一例を示している。
【００３２】
例えば毛布などの洗濯物Ｂは、細長く折畳んだ後、ロール状に巻くようにしてほぼ円筒状の形態とすることができ、図３に示すように、その状態で、脱水かご１０内に収容される。以下、主としてユーザの手動操作に基づいて、例えば図５に示す行程が順に実行される。即ち、まず、脱水槽５内への給水が行われる。給水を行うにあたっては、ユーザは、給水先切替用の操作つまみ３９を、右側（脱水槽５への給水側）に操作しておく。これにより、脱水槽側排水弁１８は閉塞状態となり、脱水槽５内に水（洗濯水）を溜めることができる。また、ユーザは、予め、必要な洗剤を、給水経路４０の途中の投入ケース４１内に投入しておく。
【００３３】
ユーザは、水道の蛇口を開放させて給水を行う。この場合、給水経路４０が脱水槽５側に切替えられているので、給水経路４０を通して脱水槽５側に給水が行われる。このときには、水道からの水が投入ケース４１を通ることにより、洗剤を溶かしながら給水が行われる。また、上記したように、脱水かご１０の上面に配置された脱水キャップ２０の落下口２１から、脱水かご１０の中央部に向けて給水が行われる。所望の水位まで給水が行われると、ユーザは蛇口を閉じて給水を止める。
【００３４】
次に、脱水槽５側での洗いの行程が実行される。この洗いの行程は、ユーザが、脱水・脱水槽洗いタイマー用の操作つまみ３７を左回り方向に、例えば１０分の位置まで回動操作することにより行われる。この脱水槽５側での洗い行程（洗濯運転）では、上記のように、脱水用モータ１１の３秒オン、９秒オフを繰返すことにより行われる。脱水用モータ１１のオン時には、脱水かご１０が一方向に回転され、脱水用モータ１１のオフ時に、脱水かご１０は減速しながら惰性回転する。脱水かご１０が停止する前に、脱水用モータ１１の次のオンがなされ、脱水かご１０が回転する。
【００３５】
この洗い行程により、脱水かご１０内に収容された洗濯物Ｂに対して、洗剤を含んだ洗濯水が、例えば回転に伴う遠心力により内周側から外周側に向けて緩やかに相対的に通過し、停止で洗濯水が脱水かご１０内に戻ることが繰返され、洗濯物Ｂの汚れが落とされていく。例えば１０分間の洗い行程が終了すると、ユーザは、給水先切替用の操作つまみ３９を左側（洗濯槽４側）に切替え操作する。すると、脱水槽側排水弁１８が開放し、排水口１６から排水が行われるようになる。これと共に、ユーザは、脱水・脱水槽洗いタイマー用の操作つまみ３７を右回り方向に回動操作することにより、脱水かご１０を一方向に高速回転させる中間脱水行程が例えば３分間行われる。
【００３６】
３分間の中間脱水行程が終了すると、ユーザは、再び給水先切替用の操作つまみ３９を右側（脱水槽５側）に切替え操作した上で、給水を行う。この場合、給水先切替用の操作つまみ３９を右側（脱水槽５側）に切替え操作することにより、給水経路４０が脱水槽５側に切替わっていると共に、脱水槽側排水弁１８が閉塞状態になり、脱水槽５内に水を溜めることができる。給水終了後、ユーザが、脱水・脱水槽洗いタイマー用の操作つまみ３７を左回り方向に、例えば５分の位置まで回動操作することにより、今度は５分間のすすぎ行程が行われる。このすすぎ行程でも、洗い行程と同様に、脱水用モータ１１の３秒オン、９秒オフが繰返される。
【００３７】
５分間のすすぎ行程が終了すると、ユーザは、再び、排水、３分の中間脱水、給水、５分のすすぎの行程を同様にして実行させる。但し２回目（最終）のすすぎ行程の際には、給水を行う前に、投入ケース４１に仕上げ剤を投入しておく。これにより、仕上げ剤を溶かしながらの給水が行われ、脱水槽５内に仕上げ剤が投入される。２回目のすすぎ行程が終了すると、ユーザは、再び給水先切替用の操作つまみ３９を左側（洗濯槽４側）に切替操作し、脱水槽側排水弁１８を開放させた状態で、脱水・脱水槽洗いタイマー用の操作つまみ３７を右回り方向に回動操作することにより、脱水かご１０を一方向に高速回転させる最終脱水の行程が例えば５分間行われる。
【００３８】
これにて、毛布等の大物の洗濯物Ｂの洗濯の各行程を、洗濯物Ｂを途中で移し替えることなく、脱水槽５のみで行うことができるのである。尚、図５の例では、すすぎの行程を
２回行うようにしたが、１回でも良く、３回以上繰返し実行しても良い。すすぎの行程における中間脱水は省略することも可能である。各行程に要する時間等も、一例を示したに過ぎず、洗濯物の量や汚れ具合、ユーザの好み等により、様々な変更が可能であることは勿論である。
【００３９】
このように本実施形態の二槽式洗濯機１によれば、次のような効果を得ることができる。即ち、本実施形態では、脱水槽側排水弁１８の閉塞状態で、脱水槽５への給水を行うことにより、脱水槽５内に洗濯水を溜めることができる。そして、脱水・脱水槽洗いタイマー用の操作つまみ３７を左回り方向に操作することにより、脱水槽４側での洗濯運転を実行させることができる。このとき、洗濯槽４側から脱水槽５側への給水の切替えに連動して脱水槽側排水弁１８が閉塞状態とされるので、脱水槽側排水弁１８が開いたまま、つまり、脱水槽５からの排水がなされる状態で、脱水槽５に対する給水が行われてしまうことを未然に防止することができる。
【００４０】
この結果、給水先切替用の操作つまみ３９による給水の切替えにより、洗濯水を、脱水槽５内に確実に溜めることができ、脱水槽５側での洗濯運転を実行することができる。また、本実施形態では、２個の給水弁を設けたり、給水弁、排水弁をコンピュータにより制御したりするいわば半自動の二槽式洗濯機とは異なり、手動操作に基づいて洗濯の各行程を進めることができ、比較的簡単な構成で済ませることができる。
【００４１】
ところで、脱水槽５での洗濯運転（洗いやすすぎの行程）は、脱水槽５内で洗濯物が浸る程度に洗濯水を溜めた状態で、脱水かご１０を回転駆動させることによって、進めることができるのであるが、脱水行程と同様の脱水かご１０の高速回転を行う必要はなく、ゆっくり回転させることが望ましい。本実施形態では、脱水槽洗濯運転時においては、脱水用モータ１１を、一方向に間欠駆動する構成とした。
【００４２】
これにより、脱水用モータ１１が一方向に間欠駆動されるので、脱水用モータ１１のオフ時にあっても、脱水かご１０の惰性回転による水流の維持を図ることができ、間欠駆動により、洗濯（洗い、すすぎ）の行程に適した力の水流を得ることができる。また、脱水用モータ１１を正逆回転するような場合と異なり、脱水用モータ１１を正逆回転させる回路構成や制御が不要となり、反転時に脱水かごを強制的に停止させることによるエネルギのロス等もなくすませることができる。
【００４３】
この場合、脱水槽洗濯運転時においては、脱水用モータ１１のオン・オフを繰返すと共に、オフ時間（９秒）がオン時間（３秒）よりも長くなるように構成したので、脱水かご１０の回転時に洗濯物Ｂを通過して外側に押し出された洗濯水が、脱水かご１０の惰性回転時（あるいは停止時）に、脱水かご１０内に戻る時間を十分に確保することができ、高い洗浄効果を得ることができる。
【００４４】
更に、本実施形態では、脱水槽洗濯運転用のタイマーと脱水運転用のタイマーとを兼用した脱水・脱水槽洗いタイマーを設け、１個の操作つまみ３７の操作方向に応じて、脱水槽洗濯運転及び脱水運転が切替えられる構成としたので、脱水槽洗濯運転用のタイマーを別途に設ける場合と比べて、設置スペースなど構成の簡単化、コストダウンを図ることができる。
【００４５】
特に本実施形態では、給水口３８から脱水槽５側に向かう給水経路４０の途中に、洗剤又は仕上げ剤の投入ケース４１を設けるようにしたので、洗剤や仕上げ剤を水に溶かしながら、給水と共に脱水槽５内に投入することができ、濃い状態の原液が洗濯物Ｂに直接かかってしまうことを防止でき、希釈された洗剤や仕上げ剤を、脱水槽５の洗濯物Ｂ全体に行き渡りやすくすることができる。脱水槽５側では、脱水かご１０の中央部に対して給水が行われるように構成されているので、洗濯物上面ばかりでなく回転によって洗濯物に生じた中央の穴から洗濯物Ｂの上下方向に対しても全体にまんべんなく水をかけながら給水することができる。
【００４６】
図６は、他の実施形態を示すものであり、脱水槽５側での洗濯運転を行う場合に、洗濯用ネットを用いて、大物の洗濯物Ｂを脱水かご１０内に出し入れする場合の例を示している。即ち、図６（ａ）に示す洗濯用ネット５１は、全体が通水可能なメッシュ（網）状のネット生地から構成され、脱水かご１０の内側形状に対応した有底の円筒袋状をなす本体部５２と、その上面に配置される円形の蓋部５３とを、図示しないファスナーにより開閉可能に接続して構成されている。
【００４７】
このような洗濯用ネット５１においては、毛布などの大物の洗濯物Ｂを、円筒状に丸めた状態で、外部で予め洗濯用ネット５１の本体部５２に収容し、蓋部５３による蓋をした状態で、洗濯かご１０内に収容させれば良い。従って、洗濯用ネット５１を利用することにより、洗濯かご１０に対し、洗濯物Ｂを出し入れしやすいものとすることができる。また、洗濯物Ｂが脱水かご１０に直接的に擦れるといったことがなくなり、洗濯物Ｂを傷めにくい状態で洗うことができる。
【００４８】
図６（ｂ）に示す洗濯用ネット６１は、脱水かご１０の内側形状に対応した有底の円筒袋状をなす本体部６２と、その上面に配置される円形の蓋部６３とを、図示しないファスナーにより開閉可能に接続して構成されている。前記蓋部６３は、通水可能なメッシュ（網）状に構成されている。これに対し、本体部６２は、例えば柔らかい布地等から構成されているのであるが、その外周壁部に、多数個の通水孔６２ａが形成されている。この場合、通水孔６２ａは、脱水かご１０に形成されている通水孔９に比べて全体の総面積が少なく構成されている。尚、通水孔６２ａについては、脱水かご１０の通水孔９に対し、数が少ない、１個の大きさが小さい、形成されている位置（ピッチ）が違う等によって、総面積を少なくすることができる。
【００４９】
この洗濯用ネット６１は、やはり、本体部６２内に洗濯物Ｂを収容した状態で、洗濯かご１０内に出し入れ可能に収容される。このとき、本体部６２の通水孔６２ａが、脱水かご１０の通水孔９と重なることは少なく、洗濯用ネット６１の本体部６２が、脱水かご１０の通水孔９の一部を内側から塞ぐように配置される。これにより、洗濯物Ｂの出し入れがしやすい等の効果に加えて、洗濯用ネット６１（脱水かご１０）内に洗濯水が留まりやすく（通水孔９から排出されにくく）なり、洗濯効果を高めることができる。
【００５０】
尚、二槽式洗濯機は、上記した各実施形態に限定されるものではなく、例えば、次のような拡張、変更が可能である。即ち、上記実施形態では、脱水槽側排水弁１８及び洗濯槽側排水弁１５として、ワイヤ等により機械的に開閉動作する構成のものを採用したが、ソレノイドやモータ等により、電気的に動作する排水弁を採用しても良い。この場合、操作パネルに、スイッチを設け、ユーザがそのスイッチの手動操作を行うことにより、排水弁の開閉が行われる構成とすることができる。
【００５１】
また、上記実施形態では、脱水槽洗濯運転時に、脱水用モータ１１を一方向に間欠駆動するように構成したが、間欠的に正逆方向に交互に駆動するといったことも可能である。脱水用モータ１１のオン・オフの時限についても、一例を示したに過ぎず、様々な変更が可能であることは勿論である。更に、上記実施形態では、脱水・脱水槽洗いタイマー用の操作つまみ３７を設けるようにしたが、脱水槽洗濯運転用のタイマー（操作つまみ）を、脱水運転用のタイマー（操作つまみ）とは別に設けても良い。その他、給水経路の投入ケースは必ずしも設けなくても良く、また洗濯用ネットも必要に応じて設ければ良いなど、要旨を逸脱しない範囲内で適宜変更して実施し得るものである。
【符号の説明】
【００５２】
図面中、１は二槽式洗濯機、４は洗濯槽、５は脱水槽、９は通水孔、１０は脱水かご、１１は脱水用モータ、１７は脱水側排水管路（排水路）、１８は脱水槽側排水弁、２０は脱水キャップ、２１は落下口、３４は操作パネル、３７は脱水・脱水槽洗いタイマー用の操作つまみ（操作部）、３８は給水口、３９は給水先切替用の操作つまみ（給水切替手段ン）、４０は給水経路、４１は投入ケース、５１，６１は洗濯用ネット、６２ａは通水孔、Ｂは洗濯物を示す。
【図１】
2016059599.tif 000003
【図２】
2016059599.tif 000004
【図３】
2016059599.tif 000005
【図４】
2016059599.tif 000006
【図５】
2016059599.tif 000007
【図６】
2016059599.tif 000008